(57)【要約】      （修正有）【課題】ハウジングの製造コストを低減し、部品点数の削減、加工及び組立工程の簡略化を図った低コストな動圧軸受装置を提供することである。【解決手段】ハウジング７と、ハウジング７に固定された軸受スリーブ８と、軸部材２と、軸受スリーブ８と軸部材２との間に第１ラジアル軸受部Ｒ１と第２ラジアル軸受部Ｒ２と、軸受スリーブ８の下側端面８ｃと軸部材２のフランジ部２ｂの上側端面２ｂ１との間に第１スラスト軸受部Ｔ１が設けられ、ハウジング７の底部７ｅの内底面７ｅ１とフランジ部２ｂの下側端面２ｂ２との間に第２スラスト軸受部Ｔ２が設けられた動圧軸受装置において、前記ハウジング７は、樹脂材料を型成形して形成されると共に、前記スラスト軸受部Ｔ２を構成するスラスト軸受面を有し、かつ、該スラスト軸受面に前記型成形と同時に成形された動圧溝を有する。【選択図】図５
2010210091.tif 000002
【特許請求の範囲】
【請求項１】
ハウジングと、該ハウジングの内部に固定された軸受スリーブと、前記ハウジング及び前記軸受スリーブに対して相対回転する回転部材と、前記軸受スリーブと前記回転部材との間のラジアル軸受隙間に生じる潤滑油の動圧作用で前記回転部材をラジアル方向に非接触支持するラジアル軸受部と、前記ハウジングと前記回転部材との間のスラスト軸受隙間に生じる潤滑油の動圧作用で前記回転部材をスラスト方向に非接触支持するスラスト軸受部とを備えた動圧軸受装置において、
前記ハウジングは、樹脂材料を型成形して形成されると共に、前記スラスト軸受部を構成するスラスト軸受面を有し、かつ、該スラスト軸受面に前記型成形と同時に成形された動圧溝を有することを特徴とする動圧軸受装置。
【請求項２】
前記ハウジングが有底筒状をなし、前記スラスト軸受面に複数の動圧溝が環状に設けられ、環状に設けた複数の動圧溝よりも内径側の領域が、回転部材のスラスト軸受隙間に面した部分から離反する方向に後退した位置にあることを特徴とする請求項１に記載の動圧軸受装置。
【請求項３】
前記スラスト軸受面は、前記ハウジングの一端側の内底面に設けられていることを特徴とする請求項１に記載の動圧軸受装置。
【請求項４】
前記ハウジングは、前記軸受スリーブの一端側の端面と当接する段部を有することを特徴とする請求項３に記載の動圧軸受装置。
【請求項５】
前記段部は、前記ハウジングの内底面から軸方向に所定寸法だけ離れた位置に設けられていることを特徴とする請求項４に記載の動圧軸受装置。
【請求項６】
前記スラスト軸受面は、前記ハウジングの端面に設けられていることを特徴とする請求項１に記載の動圧軸受装置。
【請求項７】
前記ハウジングを形成する樹脂材料は、導電性を有する充填材が配合されていることを特徴とする請求項１〜６の何れか１項に記載の動圧軸受装置。
【請求項８】
前記導電性を有する充填材として、カーボンファイバー、カーボンブラック、黒鉛、カーボンナノマテリアル、及び金属粉末の中から選択される一種又は二種以上が配合されていることを特徴とする請求項７に記載の動圧軸受装置。
【請求項９】
請求項１〜８の何れか１項に記載の動圧軸受装置を備えた情報機器用モータ。
【発明の詳細な説明】
【技術分野】
【０００１】
本発明は、ラジアル軸受隙間に生じる潤滑油の動圧作用によって回転部材を非接触支持する動圧軸受装置（流体動圧軸受装置）に関する。これらの軸受装置は、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置などのスピンドルモータ、レーザビームプリンタ（ＬＢＰ）のポリゴンスキャナモータ、あるいは電気機器、例えば軸流ファンなどの小型モータ用として好適である。
【背景技術】
【０００２】
上記各種モータには、高回転精度の他、高速化、低コスト化、低騒音化などが求められている。これらの要求性能を決定づける構成要素の一つに当該モータのスピンドルを支持する軸受があり、近年では、上記要求性能に優れた特性を有する流体軸受の使用が検討され、あるいは実際に使用されている。
【０００３】
この種の流体軸受は、軸受隙間内の潤滑油に動圧を発生させる動圧発生手段を備えたいわゆる動圧軸受と、動圧発生手段を備えていない、いわゆる真円軸受（軸受面が真円形状である軸受）とに大別される。
【０００４】
例えば、ＨＤＤ等のディスク装置のスピンドルモータやＬＢＰのポリゴンスキャナモータに組込まれる流体軸受装置では、ハウジングの内周に軸受スリーブを固定すると共に、軸受スリーブの内周に軸部材を配置した構造が知られている（特開２００２−０６１６３６号公報等参照）。この軸受装置では、軸部材の回転により、軸受スリーブの内周と軸部材の外周との間のラジアル軸受隙間に流体の動圧作用で圧力を発生させ、この圧力で軸部材をラジアル方向に非接触状態で支持する。
【先行技術文献】
【特許文献】
【０００５】
【特許文献１】特開２００２−０６１６３６号公報
【発明の概要】
【発明が解決しようとする課題】
【０００６】
従来、上記流体軸受装置のハウジングとしては、真鍮や銅等の金属の旋削品が使用されている。しかしながら、金属の旋削品では製作コストが高騰し、軸受装置の低コスト化を図る上で障害となる。
【０００７】
その一方、上記構造の流体軸受装置では、その回転時に軸部材とハウジングの間が潤滑油によって絶緑されるため、磁気ディスク等の回転体と空気との摩擦によって発生した静電気が逃げることができず、回転体に帯電しやすい。この帯電を放置すると、磁気ディスクと磁気ヘッドの間で電位差を生じたり、静電気の放電により周辺機器が損傷する等の不具合を招くおそれがある。
【０００８】
ところで、例えば、ＨＤＤ等のディスク駆動装置のスピンドルモータに組込まれる動圧軸受装置では、軸部材をラジアル方向に非接触支持するラジアル軸受部と、軸部材をスラスト方向に非接触支持するスラスト軸受部とが設けられ、ラジアル軸受部として、軸受スリーブの内周面又は軸部材の外周面に動圧発生用の溝（動圧溝）を設けた動圧軸受が用いられる。スラスト軸受部としては、例えば、軸部材のフランジ部の両端面、又は、これに対向する面（軸受スリーブの端面や、ハウジングに固定されるスラスト部材の端面等）に動圧溝を設けた動圧軸受が用いられる。あるいは、スラスト軸受部として、軸部材の一端面をスラストプレートによって接触支持する構造の軸受（いわゆるピボット軸受）が用いられる場合もある。
【０００９】
通常、軸受スリーブはハウジングの内周の所定位置に固定され、また、ハウジングの内部空間に注油した潤滑油が外部に漏れるのを防止するために、ハウジングの開口部にシール部材を配設する場合が多い。あるいは、ハウジングの開口部にシール部を一体に形成する場合もある。さらに、潤滑油の漏れを防止するために、軸部材の外周面や、ラジアル軸受隙間に通じるハウジングの外側面、シール部材の内周面に溌油剤を塗布することも行われている。
【００１０】
上記構成の動圧軸受装置は、ハウジング、軸受スリーブ、軸部材、スラスト部材、及びシール部材といった部品で構成され、情報機器の益々の高性能化に伴って必要とされる高い軸受性能を確保すべく、各部品の加工精度や組立精度を高める努力がなされている。その一方で、情報機器の低価格化の傾向に伴い、この種の動圧軸受装置に対するコスト低減の要求も益々厳しくなっている。
【００１１】
また、本発明の課題は、この種の動圧軸受装置におけるハウジングの製造コストを低減すると共に、部品点数の削減、加工工程及び組立工程の簡略化を図り、より一層低コストな動圧軸受装置を提供することである。
【課題を解決するための手段】
【００１２】
上記課題を解決するため、本発明は、ハウジングと、該ハウジングの内部に固定された軸受スリーブと、前記ハウジング及び前記軸受スリーブに対して相対回転する回転部材と、前記軸受スリーブと前記回転部材との間のラジアル軸受隙間に生じる潤滑油の動圧作用で前記回転部材をラジアル方向に非接触支持するラジアル軸受部と、前記ハウジングと前記回転部材との間のスラスト軸受隙間に生じる潤滑油の動圧作用で前記回転部材をスラスト方向に非接触支持するスラスト軸受部とを備えた動圧軸受装置において、前記ハウジングは、樹脂材料を型成形して形成されると共に、前記スラスト軸受部を構成するスラスト軸受面を有し、かつ、該スラスト軸受面に前記型成形と同時に成形された動圧溝を有することを特徴とする。
【００１３】
樹脂材料を型成形（射出成形等）して形成された樹脂製のハウジングは、旋削等の機械加工による金属製ハウジングに比べて低コストで製造することができると共に、プレス加工による金属製ハウジングに比べて比較的高い精度を確保することができる。
【００１４】
また、ハウジングにスラスト軸受面を設けることにより、スラスト軸受面を有する他の部材を別途配置する必要がなくなるので、部品点数及び組立工数の削減になる。さらに、ハウジングのスラスト軸受面の動圧溝を、ハウジングの型成形と同時に成形することにより（ハウジングを成形する成形型に上記動圧溝を成形する型形状を加工しておく。）、上記動圧溝を別途加工する必要がなくなるので、加工工数の削減になり、しかも、金属部品に対して上記動圧溝を機械加工やエッチング、電解加工等により形成する場合に比べて、動圧溝の形状や溝深さ等の精度を高めることができる。
【００１５】
上記のスラスト軸受面は、ハウジングの一端側の内底面に設け、あるいは、ハウジングの他端側の端面に設けることができる。
【００１６】
また、ハウジングに段部を設け、軸受スリーブの一端側の端面をハウジングの段部に当接させることにより、軸受スリーブのハウジングに対する軸方向位置決めを簡易に行なうことができる。特に、ハウジングの内底面から軸方向に所定寸法だけ離れた位置に段部を設けることにより、スラスト軸受隙間を精度良くかつ簡易に設定することができる。
【００１７】
ハウジングを形成する樹脂は熱可塑性樹脂であれば特に限定されないが、例えば、非晶性樹脂として、ポリサルフォン（ＰＦＳ）、ポリエーテルサルフォン（ＰＥＳ）、ポリフェニルサルフォン（ＰＰＳＦ）、ポリエーテルイミド（ＰＥＩ）等、結晶性樹脂として、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）等を用いることができる。
【００１８】
また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボンファイバー、カーボンブラック、黒鉛、カーボンナノマテリアル、金属粉末等の繊維状又は粉末状の導電性充填材を用いることができる。これらの充填材は、単独で用い、あるいは、二種以上を混合して使用しても良い。
【００１９】
例えば、ＨＤＤ等のディスク駆動装置のスピンドルモータに組み込まれる動圧軸受装置では、磁気ディスク等のディスクと空気との摩擦によって発生した静電気を接地側に逃がすために、ハウジングに導電性が要求される場合がある。このような場合、ハウジングを形成する樹脂に上記の導電性充填材を配合することにより、ハウジングに導電性を与えることができる。
【００２０】
上記の導電性充填材としては、導電性の高さ、樹脂マトリックス中での分散性の良さ、耐アブレッシブ摩耗性の良さ、低アウトガス性等の点から、カーボンナノマテリアルが好ましい。カーボンナノマテリアルとしては、カーボンナノファイバーが好ましい。このカーボンナノファイバーには、直径が４０〜５０ｎｍ以下の「カーボンナノチューブ」と呼ばれるものも含まれる。
【００２１】
カーボンナノファイバーの具体例として、単層カーボンナノチューブ、多層カーボンナノチューブ、カップ積層型カーボンナノファイバー、気相成長炭素繊維などが知られているが、本発明ではこれらの何れのカーボンナノファイバーも使用することができる。また、これらのカーボンナノファイバーは一種又は二種以上を混合して使用することができ、さらに他の充填材と混合して使用することもできる。導電性充填材としてこれらカーボンナノマテリアルを使用する場合、その配合量は２〜８ｗｔ％とするのが好ましい。
【００２２】
また、上記の導電性充填材として、平均繊維径が１０μｍ以下のカーボンファイバー、特に平均繊維径が１０μｍ以下で平均繊維長が５００μｍ以下のカーボンファイバーも、径が小さく、かつ、配合量も少なくて済むことから、樹脂の溶融状態での良好な流動性を確保でき、しかも充填材が樹脂基材から脱落しにくく、コンタミネーションの問題を回避することができるので好ましい。導電性充填材としてこれらカーボンファイバーを使用する場合、その配合量は５〜２０ｗｔ％とするのが好ましい。
【００２３】
本発明によれば、この種の動圧軸受装置におけるハウジングの製造コストを低減すると共に、部品点数の削減、加工工程及び組立工程の簡略化を図り、より一層低コストな動圧軸受装置を提供することができる。
【００２４】
流体軸受装置は、ハウジングと、ハウジングの内部に配置された軸受スリーブと、軸受スリーブの内周面に挿入された軸部材と、軸受スリーブの内周面と軸部材の外周面との間のラジアル軸受隙間に生じる潤滑油の油膜で、軸部材をラジアル方向に非接触支持するラジアル軸受部とを有するものであって、さらに軸部材とハウジングとの間を通電可能とする通電手段を備え、かつハウジングが通電性のある樹脂で形成されている。
【００２５】
このようにハウジングを樹脂製とすれば、これを射出成形等の型成形により高精度かつ低コストに成形することが可能となる。特にハウジングを、軸受スリーブをインサート部品として樹脂の型成形（インサート成形）で形成すれば、ハウジングと軸受スリーブの組立作業が不要となるので、組立コストのさらなる低減を図ることができる。
【００２６】
その一方、一般に樹脂は絶縁材料であるため、上記樹脂製ハウジングでは、帯電した静電気をハウジングを通じて接地側に放電させることができず、静電気の帯電が問題となる。この対策として、軸部材とハウジングとの間に、これらの間を通電可能とする通電手段を設け、さらにハウジングを通電性のある樹脂（導電性樹脂組成物）で形成すれば、軸部材と軸受スリーブとの相対回転時、ディスク等に蓄積された静電気を、軸部材、通電手段、さらにはハウジングを経て接地側の部材（ケーシング６等）に放電させることが可能となり、静電気の帯電を確実に防止することができる。
【００２７】
この場合、ハウジングは、体積固有抵抗１０6Ω・ｃｍ以下の導電性樹脂組成物で形成するのが望ましい。体積固有抵抗が１０6Ω・ｃｍを超えると、ハウジングの導電性が不十分となるため、通電手段で軸部材とハウジングの間の通電性が確保されていても静電気を接地側に放電することが難しくなる。
【００２８】
通電手段の具体例として、例えば導電性の潤滑油を使用することができる。この潤滑油は軸受隙間を満たすものであるから、静電気は、軸部材→潤滑油→軸受スリーブ（通常は導電性を有する焼結合金や軟質金属で形成される）→ハウジングというルートを通って接地側に放電される。このルートの他、軸受スリーブを経ることなく、軸部材→潤滑油→ハウジングというルートを経て放電される場合もある。
【００２９】
また、通電手段として、軸部材をスラスト方向に接触支持するスラスト軸受部を使用することもできる。この場合、静電気は、主として軸部材→スラスト軸受部→ハウジングというルートを通って接地側に放電される。また、導電性の潤滑油も併せて使用することもでき、この場合、静電気は、軸部材から潤滑油を通ってハウジングに至るルートによっても放電されることとなる。
【００３０】
ハウジングの導電性を確保する手段として、基材樹脂に導電化剤として金属粉や炭素繊維を配合することも考えられる。しかしながら、これらの導電化剤は、一般に粒径や線径が数十μｍ〜数百μｍ程度に達する大径であり、しかも導電性確保のために配合量を多くする必要がある。そのため、樹脂の流動性が低下して成形品の寸法精度が悪化したり、ハウジングが他部材と摺動する際（例えばハウジング内周に軸受スリーブを圧入する際、あるいはハウジングをモータに組み付ける際）にこれら導電化剤が基材樹脂から脱落し、コンタミネーション発生の要因となるおそれがある。
【００３１】
これに対し、ハウジングを、平均粒径が１μｍ以下の粉末状導電化剤を８重量％以下配合し、あるいは平均線径が１０μｍ以下で平均繊維長が５００μｍ以下の繊維状導電化剤（例えば炭素繊維）を２０重量％以下配合した導電性樹脂組成物で形成すれば、導電化剤の径が小さく、かつ配合量も少なくて済むことから、溶融状態で良好な流動性を確保でき、かつ導電化剤が基材樹脂から脱落しにくくなり、コンタミネーションの問題を回避することができる。
【００３２】
導電化剤としては、カーボンナノマテリアルを使用するのが望ましい。カーボンナノマテリアルは、従来から導電化剤として用いられているカーボンブラック、黒鉛、炭素繊維、金属粉などと比較して、次のような特徴を有する。
【００３３】
（１）高い導電性を有し、少量の添加で良好な導電性が得られる。
（２）高アスペクト比を有するため、マトリックス中で分散されやすい。また、アブレッシブ摩耗に強く、摩擦による脱落が少ない。
（３）添加量が少なくてすむため、樹脂本来の物性を損なうことがなく、溶融状態における樹脂の流動性も良好である。
（４）不純物が少なく、従来の導電化剤（特に炭素系）に比べてアウトガスが少ない。
【００３４】
従って、ハウジングを、導電化剤としてカーボンナノマテリアルを配合した導電性樹脂組成物で形成すれば、樹脂の流動性低下やコンタミネーションの発生を回避しつつ、ディスク等に帯電した静電気を確実に接地側に放電することができる。具体的には、導電性樹脂組成物におけるカーボンナノマテリアルの配合量を１〜１０ｗｔ％に設定すれば、上記体積固有抵抗値（１０6Ω・ｃｍ以下）を実現することができる。
【００３５】
カーボンナノマテリアルとしては、カーボンナノファイバーやＣ６０に代表されるフラーレンなどが有名である。このうち、フラーレンは一般に絶縁体であるので、本発明では良好な導電性を有するカーボンナノファイバーを使用するのが望ましい。ここでいうカーボンナノファイバーには、直径が４０〜５０ｎｍ以下の「カーボンナノチューブ」と呼ばれるものも含まれる。
【００３６】
このカーボンナノファイバーの具体例として、単層カーボンナノチューブ、多層カーボンナノチューブ、カップ積層型カーボンナノファイバー、あるいは気相成長炭素繊維などが知られているが、本発明では、これら何れのカーボンナノファイバーも使用することができる（これらを一種のみ使用するほか、二種以上の混合物として使用することもできる）。
【００３７】
これらのカーボンナノファイバーは、アーク放電法、レーザ蒸着法、あるいは化学的気相成長法などによって製造することができる。
【００３８】
軸受の運転中、ハウジングは発生した熱により昇温されるが、その際の膨張量が大きいと軸受スリーブの変形を招き、動圧溝の精度を低下させるおそれがある。かかる事態を防止するため、ハウジングは線膨張係数、特に径方向の線膨張係数が５×１０-5／℃以下の樹脂組成物で形成している。
【００３９】
軸受スリーブは、金属の他、体積固有抵抗が１０6Ω・ｃｍ以下の上記各種導電性樹脂組成物で形成することもできる。これにより軸受スリーブの導電性が確保されるので、ディスク等に蓄積した静電気を導電性のハウジングを介して確実に接地側に放電することが可能となる。
【００４０】
以上に述べた構成によれば、軸受装置の低コスト化を図ることができる。また、静電気の帯電を確実に防止することができるので、この軸受装置を搭載した情報機器の動作安定性を高めることができる。
【００４１】
本発明によれば、この種の動圧軸受装置におけるハウジングの製造コストを低減すると共に、部品点数の削減、加工工程及び組立工程の簡略化を図り、より一層低コストな動圧軸受装置を提供することができる。また、樹脂の射出成形によるハウジングの成形精度を高めることができる。
【００４２】
以上に述べたように、この種の流体軸受装置の低コスト化を図る手段として、ハウジングを樹脂材料で射出成形することが考えられる。しかしながら、射出成形の態様、特に溶融樹脂をキャビティー内に充填するゲートの形状や位置の設定によって、ハウジングの所要の成形精度が確保できない場合があり、また、射出成形後の樹脂ゲート部の除去加工（機械加工）によって形成されるゲート除去部が溌油性を必要とされる表面に現れ、該表面に溌油剤を塗布した場合であっても、充分な溌油効果が得られない場合がある。
【００４３】
例えば、図１４（ａ）に示すような、筒状の側部７ｂ'と、側部７ｂ'の一端部から内径側に一体に連続して延びたシール部７ａ'とを備えたハウジング７'を、樹脂材料で射出成形する場合、一般に、図１４（ｂ）に示すように、成形金型のキャビティー１７'の一端側中心部にディスクゲート１７ａ'を設け、ディスクゲート１７ａ'からキャビティー１７'内に溶融樹脂Ｐを充填する方法が採られている。しかしながら、この成形方法では、成形後の成形品は、図１４（ｃ）に示すように（Ａ部）、シール部７ａ'の外側面７ａ２'の内周縁部に樹脂ゲート部７ｄ'が繋がった形態になる。そこで、成形後に、図１４（ｃ）におけるＸ線又はＹ線に沿って除去加工（機械加工）を行い、樹脂ゲート部７ｄ'を除去している。その結果、Ｘ線に沿って樹脂ゲート部７ｄ'の除去加工を行った場合では、シール部７ａ'の外側面７ａ２'の内周縁部にゲート除去部（機械加工面）が現れ、Ｙ線に沿って樹脂ゲート部７ｄ'の除去加工を行った場合では、シール部７ａ'の外側面７ａ２'の全領域にゲート除去部（機械加工面）が現れる。
【００４４】
一般に、溌油剤の溌油性能は、溌油剤を塗布する母材表面の状態によって大きな影響を受け、樹脂の機械加工面では成形面に比べて溌油剤の溌油性能は小さくなる。一方、シール部７ａ'の外側面７ａ２'面において、最も溌油性が要求される部位はシール面となる内周面７ａ１'に近い内周側領域である。上記の成形方法では、樹脂ゲート部７ｄ'を除去加工することにより形成されるゲート除去部が、Ｘ線、Ｙ線に沿った除去加工の何れの場合においても、外側面７ａ２'の内周側領域に存在することとなる結果、外周面７ａ２'に溌油剤を塗布した場合であっても、充分な溌油効果が得られないことが多い。
【００４５】
上記課題を解決するため、本発明は、ハウジングと、ハウジングの内部に配置された軸受スリーブと、軸受スリーブの内周面に挿入された軸部材と、軸受スリーブの内周面と軸部材の外周面との間のラジアル軸受隙間に生じる潤滑油の油膜で軸部材をラジアル方向に非接触支持するラジアル軸受部とを備えた流体軸受装置において、ハウジングは、樹脂材料を射出成形して形成され、筒状の側部と、側部の一端部から内径側に一体に連続して延びたシール部とを備え、シール部は、軸部材の外周面との間にシール空間を形成する内周面と、内周面に隣接する外側面とを有し、かつ、外側面の外周縁部に、樹脂ゲート部を除去加工することにより形成されたゲート除去部を有する構成を提供する。
【００４６】
ハウジングを樹脂材料の射出成形で形成することにより、旋削等の機械加工による金属製ハウジングに比べて低コストで製造することができると共に、プレス加工による金属製ハウジングに比べて比較的高い精度を確保することができる。また、ハウジングにシール部を一体に具備させることにより、別体のシール部材をハウジングに固定する場合に比べて、部品点数及び組立工数を削減することができる。
【００４７】
また、ハウジングは、シール部の外側面の外周縁部に、樹脂ゲート部を除去加工することにより形成されたゲート除去部を有しており、言い換えれば、シール部の外側面は、ゲート除去部が存在する外周縁部を除いて、成形面であり、このような表面状態の外側面に溌油剤を塗布することにより、充分な溌油効果が発揮され、ハウジング内部からの潤滑油の漏れが効果的に防止される。
【００４８】
ゲート除去部は、成形金型のゲートの形状によって、シール部の外側面の外周縁部に１点状、複数点状、又は環状に表れるが、溶融樹脂を金型のキャビティー内に均一に充填し、ハウジングの成形精度を高める観点から、ゲートを環状に形成した場合、ゲート除去部は環状に現れる。したがって、ゲート除去部の形状は環状であることが好ましい。
【００４９】
ハウジングを形成する樹脂は熱可塑性樹脂であれば特に限定されないが、非晶性樹脂の場合は、例えば、ポリサルフォン（ＰＳＦ）、ポリエーテルサルフォン（ＰＥＳ）、ポリフェニルサルフォン（ＰＰＳＦ）、ポリエーテルイミド（ＰＥＩ）を用いることができる。また、結晶性樹脂の場合は、例えば、液晶ポリマー（ＬＣＰ）、ポリエーテルエーテルケトン（ＰＥＥＫ）、ポリブチレンテレフタレート（ＰＢＴ）、ポリフェニレンサルファイド（ＰＰＳ）を用いることができる。
【００５０】
また、上記の樹脂に充填する充填材の種類も特に限定されないが、例えば、充填材として、ガラス繊維等の繊維状充填材、チタン酸カリウム等のウィスカー状充填材、マイカ等の鱗片状充填材、カーボン繊維、カーボンブラック、黒鉛、カーボンナノマテリアル、金属粉等の繊維状又は粉末状の導電性充填材を用いることができる。
【００５１】
例えば、ＨＤＤ等のディスク駆動装置のスピンドルモータに組み込まれる流体軸受装置では、磁気ディスク等のディスクと空気との摩擦によって発生した静電気を接地側に逃がすために、ハウジングに導電性が要求される場合がある。このような場合、ハウジングを形成する樹脂に上記の導電性充填材を配合することにより、ハウジングに導電性を与えることができる。
【００５２】
上記の導電性充填材としては、導電性の高さ、樹脂マトリックス中での分散性の良さ、耐アブレッシブ摩耗性の良さ、低アウトガス性等の点から、カーボンナノマテリアルが好ましい。カーボンナノマテリアルとしては、カーボンナノファイバーが好ましい。このカーボンナノファイバーには、直径が４０〜５０ｎｍ以下の「カーボンナノチューブ」と呼ばれるものも含まれる。
【００５３】
また、本発明は上記課題を達成するため、ハウジングと、ハウジングの内部に配置された軸受スリーブと、軸受スリーブの内周面に挿入された軸部材と、軸受スリーブの内周面と軸部材の外周面との間のラジアル軸受隙間に生じる潤滑油の油膜で軸部材をラジアル方向に非接触支持するラジアル軸受部とを備えた流体軸受装置、の製造方法において、ハウジングを、樹脂材料の射出成形により、筒状の側部と、側部の一端部から内径側に一体に連続して延びたシール部とを備えた形態に成形するハウジング成形工程を含み、シール部は、軸部材の外周面との間にシール空間を形成する内周面と、内周面に隣接する外側面とを有し、ハウジング成形工程において、シール部の外側面の外周縁部に対応する位置に環状のフィルムゲートを設け、フィルムゲートからハウジングを成形するキャビティー内に溶融樹脂を充填する構成を提供する。
【００５４】
ハウジング成形工程において、シール部の外側面の外周縁部に対応する位置に環状のフィルムゲートを設け、フィルムゲートからハウジングを成形するキャビティー内に溶融樹脂を充填することにより、溶融樹脂がキャビティーの円周方向及び軸方向に均一に充填され、寸法形状精度の高いハウジングを得ることができる。
【００５５】
ここで、「フィルムゲート」とは、ゲート幅の小さいゲートであり、ゲート幅は、樹脂材料の物性や射出成形条件等によっても異なるが、例えば０．２ｍｍ〜０．８ｍｍである。このようなフィルムゲートをシール部の外側面の外周縁部に対応する位置に設けているため、成形後の成形品は、シール部の外側面の外周縁部にフィルム状の（薄い）樹脂ゲート部が環状に繋がった形態になる。多くの場合、フィルム状の樹脂ゲート部は成形金型の型開動作によって自動的に切断され、成形品を成形金型から取り出した状態では、シール部の外側面の外周縁部に樹脂ゲート部の切断部が残る。このような樹脂ゲート部を除去加工することによって形成されるゲート除去部は、シール部の外側面の外周縁部に幅の狭い環状形状で現れる。
【００５６】
以上の構成から、樹脂の射出成形によるハウジングにおいて、ゲート除去部による溌油効果低下の問題を解消することができる。
【発明の効果】
【００５７】
本発明によれば、この種の動圧軸受装置におけるハウジングの製造コストを低減すると共に、部品点数の削減、加工工程及び組立工程の簡略化を図り、より一層低コストな動圧軸受装置を提供することができる。
【図面の簡単な説明】
【００５８】
【図１】本発明にかかる流体軸受装置の一実施形態を示す断面図である。
【図２】本発明にかかる流体軸受装置の他の実施形態を示す断面図である。
【図３】上記流体軸受装置を組み込んだスピンドルモータの断面図である。
【図４】本発明の実施形態に係る動圧軸受装置を組み込んだ情報機器用スピンドルモータの断面図である。
【図５】本発明の実施形態に係る動圧軸受装置を示す断面図である。
【図６】ハウジングを図５のＡ方向から見た図である。
【図７】図７ａは軸受スリーブの断面図、図７ｂは軸受スリーブの下側端面を示す図、  図７ｃは軸受スリーブの上側端面を示す図である。
【図８】本発明の他の実施形態に係る動圧軸受装置を組み込んだ情報機器用スピンドルモータの断面図である。
【図９】本発明の他の実施形態に係る動圧軸受装置を示す断面図である。
【図１０】ハウジングを図９のＢ方向から見た図である。
【図１１】本発明に係る流体軸受装置を使用した情報機器用スピンドルモータの断面図である。
【図１２】本発明に係る流体軸受装置の実施形態を示す断面図である。
【図１３】ハウジングの成形工程を概念的に示す断面図である。
【図１４】一般的なハウジングの成形工程を概念的に示す断面図である。
【発明を実施するための最良の形態】
【００５９】
以下、本発明の実施形態を図１〜図３に基づいて説明する。
【００６０】
図３は、この実施形態にかかる流体軸受装置１を組み込んだ情報機器用スピンドルモータの一構成例を示している。このスピンドルモータは、ＨＤＤ等のディスク駆動装置に用いられるもので、軸部材２を回転自在に非接触支持する流体軸受装置１と、軸部材２に圧入等の手段で装着されたディスクハブ３と、半径方向のギャップを介して対向させたモータステータ４およびモータロータ５とを備えている。ステータ４はケーシング６の外周に取り付けられ、ロータ５はディスクハブ３の内周に取り付けられる。流体軸受装置１のハウジング７は、ケーシング６の内周に装着される。ディスクハブ３には、磁気ディスク等のディスクＤが一または複数枚保持される。ステータ４に通電すると、ステータ４とロータ５との間の励磁力でロータ５が回転し、それによってディスクハブ３および軸部材２が一体となって回転する。
【００６１】
図１は、上記流体軸受装置１の拡大断面図である。図示のように、この流体軸受装置１は、ハウジング７と、円筒状の軸受スリーブ８と、軸部材２とを主要な構成部品としている。なお、以下の説明では、ハウジング７の開口側（シール側）を上方とし、ハウジング７の閉塞側を下方として説明を進める。
【００６２】
軸部材２は、ステンレス鋼等の導電性の金属材で形成される。軸部材２の軸端部（図示例では下端）は球面状に形成され、その軸端部２ｄをハウジング７の底部７ｅで接触支持することにより、軸部材２をスラスト方向に支持するピボット型のスラスト軸受部Ｔが構成される。スラスト軸受部Ｔの接触部分は、後述するように軸部材２とハウジング７の間での通電を確保する通電手段としても機能する。図示のように、軸部材２の軸端部２ｄをハウジング底部７ｅの内側面７ｅ１に直接接触させる他、ハウジング底部７ｅに低摩擦性の適宜の材料（樹脂等）からなるスラストプレートを配置し、これに軸端部２ｄを摺接させることもできる。
【００６３】
軸受スリーブ８は、ハウジング７の内周面、より詳細には側部７ｂの内周面７ｃの所定位置に圧入等の手段で固定される。軸受スリーブ８のハウジング内周への固定方法は、両者間が通電状態となる限り特に問わず、部分的に接着することにより固定することもできる。
【００６４】
軸受スリーブ８は、焼結金属からなる多孔質体で円筒状に形成される。焼結金属としては、例えば、銅、鉄、及びアルミニウムの中から選択される１種以上の金属粉末、若しくは銅被覆鉄粉などの被覆処理を施した金属粉末や合金粉末を主原料とし、必要に応じて、すず、亜鉛、鉛、黒鉛、二硫化モリブデン等の粉末又はこれらの合金粉末を混合し、成形し、焼結して得られたものを用いることができる。このような焼結金属は、内部に多数の気孔（内部組織としての気孔）を備えていると共に、これら気孔が外表面に通じて形成される多数の開孔を備えている。この焼結金属は、潤滑油や潤滑グリースを含浸させた含油焼結金属として用いられる。なお、焼結金属に限らず、軟質金属等の他の金属材料で軸受スリーブ８を形成することも可能であるが、少なくとも導電性の金属材料で形成するのが望ましい。
【００６５】
軸受スリーブ８の内周面８ａと軸部材２の外周面２ｃとの間には、第一ラジアル軸受部Ｒ１と第二ラジアル軸受部Ｒ２とが軸方向に離隔して設けられる。軸受スリーブ８の内周面８ａには、第一ラジアル軸受部Ｒ１と第二ラジアル軸受部Ｒ２のラジアル軸受面となる上下二つの領域が軸方向に離隔して設けられ、これら二つの領域には、動圧発生手段として、例えばヘリングボーン形状の動圧溝がそれぞれ形成される。尚、動圧発生手段として、スパイラル形状や軸方向の溝を形成したり、あるいはラジアル軸受面を非真円形状（例えば複数の円弧で形成する）にすることもできる。また、ラジアル軸受面となる領域は、軸部材２の外周面２ｃに形成することもできる。
【００６６】
ハウジング７は、上記軸受スリーブ８をインサート部品として、６６ナイロン、ＬＣＰ、ＰＥＳ等の樹脂材料を射出成形（インサート成形）することにより形成される。このようにして形成されたハウジング７は、一端を開口すると共に、他端を閉じた有底筒状で、円筒状の側部７ｂと、側部７ｂの上端から内径側に一体に延びた環状のシール部７ａと、側部７ｂの下端と一体に連続した底部７ｅとを備えている。シール部７ａの内周面７ａ１は、軸部材２の外周面２ｃと所定のシール空間Ｓを介して対向する。尚、この実施形態では、シール部７ａの内周面７ａ１と対向してシール空間Ｓを形成する軸部材２の外周面２ｃを、上方（ハウジング７の外方向）に向かって漸次縮径するテーパ形状に形成している。軸部材２と軸受スリーブ８の相対回転時（本実施形態では軸部材２の回転時）、テーパ形状の外周面２ａは、いわゆる遠心力シールとしても機能する。シール空間Ｓは、このようなテーパ状の空間とする他、軸方向で同径の円筒状に形成することもできる。
【００６７】
この樹脂製ハウジング７の線膨張係数が大きいと、軸受運転中に発生した熱で昇温したハウジング７が膨張して軸受スリーブ８を変形させ、これによって内周面８ａに形成した動圧溝の精度が低下するおそれがある。かかる事態を防止するため、ハウジング７は径方向の線膨張係数が５×１０-5／℃以下の樹脂組成物で形成するのが望ましい。
【００６８】
軸部材２は、軸受スリーブ８の内周面８ａに挿入され、軸端部２ｄをハウジング底部７ｅの内側面７ｅ１に接触させている。シール部７ａで密封されたハウジング７の内部空間には潤滑油が給油され、ラジアル軸受部Ｒ１、Ｒ２のラジアル軸受隙間がそれぞれ潤滑油で満たされている。
【００６９】
軸部材２が回転すると、軸受スリーブ８の内周面８ａのラジアル軸受面となる領域（上下二箇所の領域）は、それぞれ軸部材２の外周面とラジアル軸受隙間を介して対向する。そして、軸部材２の回転に伴い、ラジアル軸受隙間に潤滑油の油膜が形成され、その動圧で軸部材２がラジアル方向に回転自在に非接触支持される。これにより、軸部材２をラジアル方向に回転自在に非接触支持する第一ラジアル軸受部Ｒ１と第二ラジアル軸受部Ｒ２とが構成される。一方、軸部材２は、スラスト方向でピボット形式のスラスト軸受部Ｔによって回転自在に支持される。
【００７０】
本発明では、上述のようにハウジング７を樹脂製としているが、この樹脂製ハウジング７は、溶融状態の樹脂材料に導電化剤を配合することにより導電性を持つように形成される。導電性の良否は、ハウジング７の体積固有抵抗で評価することができ、本発明においては、体積固有抵抗が１０6Ω・ｃｍ以下となるように導電化剤が配合される。ここで、体積固有抵抗とは、１ｃｍ×１ｃｍ×１ｃｍの物体を電流が流れる時の抵抗をいい、単位長さを辺とする立方体の対向する面間の抵抗で定義される。
【００７１】
なお、軸部材２の軸端部２ｄをスラストプレートに接触させる場合、スラストプレートも同様に導電化剤を配合した樹脂、もしくは導電性の金属で形成する。
【００７２】
導電化剤としては、粉末状あるいは繊維状のものを使用することができる。導電化剤の粒径が大きすぎたりその配合量が多すぎる場合、ハウジング７を射出成形する際に樹脂の溶融流動性が低下し、成形品の寸法精度が低下したり、ハウジング７をケーシング６の内周に圧入する際等に作用する摺動摩擦により基材樹脂から導電化剤が脱落し、コンタミネーションの問題が発生するおそれがある。本発明者が検討した結果、粉末状の導電化剤を使用する場合は、平均粒径が１μｍ以下のものを８重量％以下（望ましくは５重量％以下）配合し、繊維状の導電化剤を使用する場合は、平均線径が１０μｍ以下で繊維長が５００μｍ以下のものを２０重量％以下（望ましくは１５重量％以下）配合すれば、上記不具合を回避できることが判明した。
【００７３】
上記の条件を満たす導電化剤の一例として、カーボンナノマテリアル、特にカーボンナノファイバーを挙げることができる。この導電化剤１〜１０重量％、好ましくは２〜７重量％を基材樹脂に配合することにより、少ない配合量でもハウジング７に高い導電性（体積固有抵抗１０6Ω・ｃｍ以下）を付与することができる。
【００７４】
カーボンナノファイバーとしては、単層カーボンナノチューブ（ＳＷＣＮＴ）、多層カーボンナノチューブ（ＭＷＣＮＴ）、カップ積層型カーボンナノファイバー、あるいは気相成長炭素繊維（ＶＧＣＦ）なとが使用可能である。ちなみにＳＷＣＮＴは外径０．４〜５ｎｍで、長さ１〜数十μｍ、ＭＷＣＮＴは外径１０〜５０ｎｍ（内径３〜１０ｎｍ）で、長さ１〜数十μｍ、カップ積層型カーボンナノファイバーは外径０．１〜数百μｍであり、その長さは最大３０ｃｍである。
【００７５】
軸部材２の回転中は、空気との摩擦で磁気ディスクＤに静電気が生じる。上述のように本発明ではハウジング７に導電性を持たせているため、この静電気は、ディスクハブ３、軸部材２、軸端部２ｄとハウジング底部７ｅの接触部、ハウジング７を経てケーシング６に伝わり、接地側に放電される。これにより、磁気ディスクＤの帯電を確実に防止することができ、磁気ディスクＤと磁気ヘッドとの間の電位差の形成や、蓄積した静電気の放電による機器の損傷を防止することができる。
【００７６】
なお、通電手段として、上記スラスト軸受部Ｔに加え、導電性の潤滑油を使用すれば、軸部材２とハウジング７との間の通電が、軸端部２ｄとハウジング底部７ｅとの接触部だけでなく、潤滑油、並びに潤滑油と軸受スリーブ８を介しても行われるので、静電気の帯電防止機能をさらに高めることができる。
【００７７】
ハウジング７は、インサート成形の他、上記樹脂材料の射出成形（インサート部品を使用しない）で形成することもできる。図２は、その一例で、ハウジング７の少なくとも側部７ｂを樹脂で円筒状に射出成形したもので、この場合、ハウジング７の底部１０は樹脂または他の材料（金属等）からなる別部材で形成される。側部７ｂの一端開口部に底部１０を圧入、接着、あるいは溶着等の手段で固定することにより、有底円筒状のハウジング７が形成される。側部７ｂの内周面には軸受スリーブ８が圧入等の手段で固定されている。さらに側部７ｂの他端開口部にシール部材９を固定することにより、その内周面９ａと軸部材２の外周面との間にシール空間Ｓが形成される。
【００７８】
この構成でもハウジング７を形成する樹脂材料に上記導電化剤を配合することにより、ハウジング７に導電性を付与することができ、高い帯電防止機能を得ることができる。
【００７９】
図１に示す実施形態では、スラスト軸受部Ｔとして、軸部材２の端部を接触支持するピボット軸受を例示しているが、この軸受部Ｔとしては、ラジアル軸受部Ｒ１、Ｒ２と同様に、動圧溝等の動圧発生手段により軸受隙間（スラスト軸受隙間）に生じた潤滑油の動圧効果で圧力を発生させ、この圧力で軸部材２をスラスト方向で非接触支持する動圧軸受を使用することもできる。
【００８０】
図２は動圧軸受からなるスラスト軸受部Ｔの一例を示すもので、軸部材２に軸部２ａとフランジ部２ｂとを設け、軸受スリーブ８の端面８ｃとフランジ部２ｂの上端面２ｂ１との間、およびハウジング底部１０の内側面１０ａとフランジ部２ｂの他端面２ｂ２との間にそれぞれスラスト軸受隙間を形成した例である。動圧発生手段としての動圧溝は、軸受スリーブ端面８ｃとフランジ部上端面２ｂ１の何れか一方、およびハウジング底部１０の内側面１０ａとフランジ部下端面２ｂ２の何れか一方に形成することができる。
【００８１】
この場合、軸部材２の回転中は、軸部材２はハウジング７および軸受スリーブの双方と非接触状態となるが、通電手段として導電性の潤滑油を使用することにより、軸部材２とハウジング７の間で通電させることが可能となる。すなわち、軸部材２の静電気は、軸受隙間（ラジアル軸受隙間のみならずスラスト軸受隙間も含む）に満たされた潤滑油を介し、軸受スリーブ８を経てハウジング７に流れ込み、あるいは潤滑油を介して直接ハウジング７に流れ込む。従って、図１に示す実施形態と同様に帯電防止効果を得ることができる。
【００８２】
なお、本発明は、ラジアル軸受部Ｒ１、Ｒ２の何れか一方または双方をいわゆる真円軸受で構成した流体軸受装置にも同様に適用可能である。
【００８３】
また、以上の説明では、軸受スリーブ８を焼結金属や軟質金属等の金属材料で形成した場合を例示したが、軸受スリーブを上述した体積固有抵抗１０6Ω・ｃｍ以下の導電性樹脂組成物で形成しても同様の効果が得られる。
【００８４】
以下、本発明の実施形態について説明する。
【００８５】
図４は、この実施形態に係る動圧軸受装置（流体動圧軸受装置）１を組み込んだ情報機器用スピンドルモータの一構成例を概念的に示している。このスピンドルモータは、ＨＤＤ等のディスク駆動装置に用いられるもので、軸部材２を回転自在に非接触支持する動圧軸受装置１と、軸部材２に装着されたロータ（ディスクハブ）３と、例えば半径方向のギャップを介して対向させたステータ４およびロータマグネット５とを備えている。ステータ４はブラケット６の外周に取付けられ、ロータマグネット５はディスクハブ３の内周に取付けられる。動圧軸受装置１のハウジング７は、ブラケット６の内周に装着される。ディスクハブ３には、磁気ディスク等のディスクＤが一又は複数枚保持される。ステータ４に通電すると、ステータ４とロータマグネット５との間の電磁力でロータマグネット５が回転し、それによって、ディスクハブ３および軸部材２が一体となって回転する。
【００８６】
図５は、動圧軸受装置１を示している。この動圧軸受装置１は、ハウジング７と、ハウジング７に固定された軸受スリーブ８およびシール部材９と、軸部材２とを構成部品して構成される。
【００８７】
軸受スリーブ８の内周面８ａと軸部材２の軸部２ａの外周面２ａ１との間に第１ラジアル軸受部Ｒ１と第２ラジアル軸受部Ｒ２とが軸方向に離隔して設けられる。また、軸受スリーブ８の下側端面８ｃと軸部材２のフランジ部２ｂの上側端面２ｂ１との間に第１スラスト軸受部Ｔ１が設けられ、ハウジング７の底部７ｅの内底面７ｅ１とフランジ部２ｂの下側端面２ｂ２との間に第２スラスト軸受部Ｔ２が設けられる。尚、説明の便宜上、ハウジング７の底部７ｅの側を下側、底部７ｅと反対の側を上側として説明を進める。
【００８８】
ハウジング７は、例えば、結晶性樹脂としての液晶ポリマー（ＬＣＰ）に、導電性充填材としてのカーボンナノチューブを２〜８ｗｔ％配合した樹脂材料を射出成形して有底筒状に形成され、円筒状の側部７ｂと、側部７ｂの下端に一体に設けられた底部７ｅとを備えている。図６に示すように、第２スラスト軸受部Ｔ２のスラスト軸受面となる、底部７ｅの内底面７ｅ１には、例えばスパイラル形状の動圧溝７ｅ２が形成される。この動圧溝７ｅ２は、ハウジング７の射出成形時に成形されたものである。すなわち、ハウジング７を成形する成形型の所要部位（内底面７ｅ１を成形する部位）に、動圧溝７ｅ２を成形する溝型を加工しておき、ハウジング７の射出成形時に上記溝型の形状をハウジング７の内底面７ｅ１に転写することにより、動圧溝７ｅ２をハウジング７の成形と同時成形することができる。また、内底面（スラスト軸受面）７ｅ１から軸方向上方に所定寸法ｘだけ離れた位置に段部７ｇが一体に形成されている。環状に設けた複数の動圧溝７ｅ２よりも内径側の領域７ｅ３は、回転部材としてのフランジ部２ｂの下側端面２ｂ２から離反する方向に後退した位置にある。
【００８９】
軸部材２は、例えば、ステンレス鋼等の金属材料で形成され、軸部２ａと、軸部２ａの下端に一体又は別体に設けられたフランジ部２ｂとを備えている。
【００９０】
軸受スリーブ８は、例えば、焼結金属からなる多孔質体、特に銅を主成分とする焼結金属の多孔質体で円筒状に形成され、ハウジング７の内周面７ｃの所定位置に固定される。
【００９１】
この焼結金属で形成された軸受スリーブ８の内周面８ａには、第１ラジアル軸受部Ｒ１と第２ラジアル軸受部Ｒ２のラジアル軸受面となる上下２つの領域が軸方向に離隔して設けられ、該２つの領域には、例えば図７（ａ）に示すようなヘリングボーン形状の動圧溝８ａ１、８ａ２がそれぞれ形成される。上側の動圧溝８ａ１は、軸方向中心ｍ（上下の傾斜溝間領域の軸方向中央）に対して軸方向非対称に形成されており、軸方向中心ｍより上側領域の軸方向寸法Ｘ１が下側領域の軸方向寸法Ｘ２よりも大きくなっている。また、軸受スリーブ８の外周面８ｄには、１又は複数本の軸方向溝８ｄ１が軸方向全長に亙って形成される。この例では、３本の軸方向溝８ｄ１を円周方向等間隔に形成している。
【００９２】
第１スラスト軸受部Ｔ１のスラスト軸受面となる、軸受スリーブ８の下側端面８ｃには、例えば図７（ｂ）に示すようなスパイラル形状の動圧溝８ｃ１が形成される。
【００９３】
図７（ｃ）に示すように、軸受スリーブ８の上側端面８ｂは、半径方向の略中央部に設けられた円周溝８ｂ１により、内径側領域８ｂ２と外径側領域８ｂ３に区画され、内径側領域８ｂ２には、１又は複数本の半径方向溝８ｂ２１が形成される。この例では、３本の半径方向溝８ｂ２１が円周等間隔に形成されている。
【００９４】
シール部材９は、例えば、ハウジング７の側部７ｂの上端部内周に固定され、その内周面９ａは、軸部２ａの外周に設けられたテーパ面２ａ２と所定のシール空間Ｓを介して対向する。尚、軸部２ａのテーパ面２ａ２は上側（ハウジング７に対して外部側）に向かって漸次縮径し、軸部材２の回転により遠心力シールとしても機能する。また、シール部材９の下側端面９ｂの外径側領域９ｂ１は内径側領域よりも僅かに大径に形成されている。
【００９５】
この実施形態の動圧軸受装置１は、例えば、次のような工程で組立てる。
【００９６】
まず、軸部材２を軸受スリーブ８に装着する。そして、軸受スリーブ８を軸部材２と伴にハウジング７の側部７ｂの内周面７ｃに挿入し、その下側端面８ｃをハウジング７の段部７ｇに当接させる。これにより、ハウジング７に対する軸受スリーブ８の軸方向位置が決まる。そして、この状態で、軸受スリーブ８を適宜の手段、例えば超音波溶着によってハウジング７に固定する。
【００９７】
つぎに、シール部材９をハウジング７の側部７ｂの上端部内周に挿入し、その下側端面９ｂの内径側領域を軸受スリーブ８の上側端面８ｂの内径側領域８ｂ２に当接させる。そして、この状態で、シール部材９を適宜の手段、例えば超音波溶着によってハウジング７に固定する。尚、シール部材９の外周面に凸状のリブ９ｃを設けておくと、溶着による固定力を高める上で効果的である。
【００９８】
上記のようにして組立が完了すると、軸部材２の軸部２ａは軸受スリーブ８の内周面８ａに挿入され、フランジ部２ｂは軸受スリーブ８の下側端面８ｃとハウジング７の内底面７ｅ１との間の空間部に収容された状態となる。その後、シール部材９で密封されたハウジング７の内部空間は、軸受スリーブ８の内部気孔を含め、潤滑油で充満される。潤滑油の油面は、シール空間Ｓの範囲内に維持される。
【００９９】
軸部材２の回転時、軸受スリーブ８の内周面８ａのラジアル軸受面となる領域（上下２箇所の領域）は、それぞれ、軸部２ａの外周面２ａ１とラジアル軸受隙間を介して対向する。また、軸受スリーブ８の下側端面８ｃのスラスト軸受面となる領域はフランジ部２ｂの上側端面２ｂ１とスラスト軸受隙間を介して対向し、ハウジング７の内底面７ｅ１のスラスト軸受面となる領域はフランジ部２ｂの下側端面２ｂ２とスラスト軸受隙間を介して対向する。そして、軸部材２の回転に伴い、上記ラジアル軸受隙間に潤滑油の動圧が発生し、軸部材２の軸部２ａが上記ラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２のフランジ部２ｂが上記スラスト軸受隙間内に形成される潤滑油の油膜によって両スラスト方向に回転自在に非接触支持される。これにより、軸部材２をスラスト方向に回転自在に非接触支持する第１スラスト軸受部Ｔ１と第２スラスト軸受部Ｔ２とが構成される。第１スラスト軸受部Ｔ１のスラスト軸受隙間（δ１とする。）と第２スラスト軸受部Ｔ２のスラスト軸受隙間（δ２とする。）は、ハウジング７の内底面７ｅ１から段部７ｇまでの軸方向寸法ｘと、軸部材２のフランジ部２ｂの軸方向寸法（ｗとする。）とにより、ｘ−ｗ＝δ１＋δ２として精度良く管理することができる。
【０１００】
前述したように、第１ラジアル軸受部Ｒ１の動圧溝８ａ１は、軸方向中心ｍに対して軸方向非対称に形成されており、軸方向中心ｍより上側領域の軸方向寸法Ｘ１が下側領域の軸方向寸法Ｘ２よりも大きくなっている｛図７（ａ）｝。そのため、軸部材２の回転時、動圧溝８ａ１による潤滑油の引き込み力（ポンピング力）は上側領域が下側領域に比べて相対的に大きくなる。そして、この引き込み力の差圧によって、軸受スリーブ８の内周面８ａと軸部２ａの外周面２ａ１との間の隙間に満たされた潤滑油が下方に流動し、第１スラスト軸受部Ｔ１のスラスト軸受隙間→軸方向溝８ｄ１→シール部材９の下側端面９ｂの外径側領域９ｂ１と軸受スリーブ８の上側端面８ｂの外径側領域８ｂ３との間の環状隙間→軸受スリーブ８の上側端面８ｂの円周溝８ｂ１→軸受スリーブ８の上側端面８ｂの半径方向溝８ｂ２１という経路を循環して、第１ラジアル軸受部Ｒ１のラジアル軸受隙間に再び引き込まれる。このように、潤滑油がハウジング７の内部空間を流動循環するように構成することで、内部空間内の潤滑油の圧力が局部的に負圧になる現象を防止して、負圧発生に伴う気泡の生成、気泡の生成に起因する潤滑油の漏れや振動の発生等の問題を解消することができる。また、何らかの理由で潤滑油中に気泡が混入した場合でも、気泡が潤滑油に伴って循環する際にシール空間Ｓ内の潤滑油の油面（気液界面）から外気に排出されるので、気泡による悪影響はより一層効果的に防止される。
【０１０１】
図８は、他の実施形態に係る動圧軸受装置（流体動圧軸受装置）１１を組み込だ情報機器用スピンドルモータの一構成例を概念的に示している。このスピンドルモータは、ＨＤＤ等のディスク駆動装置に用いられるもので、軸部材１２を回転自在に非接触支持する動圧軸受装置１１と、軸部材１２に装着されたロータ（ディスクハブ）１３と、例えば半径方向のギャップを介して対向させたステータ１４およびロータマグネット１５とを備えている。ステータ１４はブラケット１６の外周に取付けられ、ロータマグネット１５はディスクハブ１３の内周に取付けられる。動圧軸受装置１１のハウジング１７は、ブラケット１６の内周に装着される。ディスクハブ１３には、磁気ディスク等のディスクが一又は複数枚保持される。ステータ１４に通電すると、ステータ１４とロータマグネット１５との間の電磁力でロータマグネット１５が回転し、それによって、ディスクハブ１３および軸部材１２が一体となって回転する。
【０１０２】
図９は、動圧軸受装置１１を示している。この動圧軸受装置１１は、ハウジング１７と、ハウジング１７に固定された軸受スリーブ１８と、軸部材１２とを構成部品して構成される。
【０１０３】
軸受スリーブ１８の内周面１８ａと軸部材１２の外周面１２ａとの間に第１ラジアル軸受部Ｒ１１と第２ラジアル軸受部Ｒ１２とが軸方向に離隔して設けられる。また、ハウジング１７の上側端面１７ｆと、軸部材１２に固定されたディスクハブ（ロータ）１３の下側端面１３ａとの間にスラスト軸受部Ｔ１１が形成される。尚、説明の便宜上、ハウジング１７の底部１７ｅの側を下側、底部１７ｅと反対の側を上側として説明を進める。
【０１０４】
ハウジング１７は、例えば、前述した樹脂材料を射出成形して有底筒状に形成され、円筒状の側部１７ｂと、側部１７ｂの下端に一体に設けられた底部１７ｅとを備えている。図１０に示すように、スラスト軸受部Ｔ１１のスラスト軸受面となる上側端面１７ｆには、例えばスパイラル形状の動圧溝１７ｆ１が形成される。この動圧溝１７ｆ１は、ハウジング１７の射出成形時に成形されたものである。すなわち、ハウジング１７を成形する成形型の所要部位（上側端面１７ｆを成形する部位）に、動圧溝１７ｆ１を成形する溝型を加工しておき、ハウジング１７の射出成形時に上記溝型の形状をハウジング１７の上側端面１７ｆに転写することにより、動圧溝１７ｆ１をハウジング１７の成形と同時成形することができる。また、ハウジング１７は、その上方部外周に、上方に向かって漸次拡径するテーパ状外壁１７ｈを備え、このテーパ状外壁１７ｈで、ディスクハブ１３に設けられた鍔部１３ｂの内壁１３ｂ１との間に、上方に向かって漸次縮小するテーパ状のシール空間Ｓ'を形成する。このシール空間Ｓ'は、軸部材１２及びディスクハブ１３の回転時、スラスト軸受部Ｔ１１のスラスト軸受隙間の外径側と連通する。
【０１０５】
軸部材１２は例えばステンレス鋼等の金属材料で形成され、軸受スリーブ１８は例えば焼結金属からなる多孔質体、特に銅を主成分とする焼結金属の多孔質体で円筒状に形成される。軸部材１２は軸受スリーブ１８の内周面１８ａに挿入され、軸受スリーブ１８は適宜の手段、例えば超音波溶着によってハウジング１７の内周面１７ｃの所定位置に固定される。尚、図９に示す軸部材１２及びディスクハブ１３の停止時において、軸部材１２の下側端面１２ｂとハウジング１７の内底面１７ｅ１との間、軸受スリーブ１８の下側端面１８ｃとハウジング１７の内底面１７ｅ１との間にはそれぞれ僅かな隙間が存在する。
【０１０６】
焼結金属で形成された軸受スリーブ１８の内周面１８ａには、第１ラジアル軸受部Ｒ１１と第２ラジアル軸受部Ｒ１２のラジアル軸受面となる上下２つの領域が軸方向に離隔して設けられ、該２つの領域には、例えば図７（ａ）に示すものと同様のヘリングボーン形状の動圧溝がそれぞれ形成される。また、軸受スリーブ１８の外周面１８ｄには、例えば３本の軸方向溝１８ｄ１が円周方向等間隔で軸方向全長に亙って形成される。
【０１０７】
動圧軸受装置１１の組立完了後、ハウジング１７の内部空間等は潤滑油で充満される。すなわち、潤滑油は、軸受スリーブ１８の内部気孔を含め、軸受スリーブ１８の内周面１８ａと軸部材１２の外周面１２ａとの間の隙間部、軸受スリーブ１８の下側端面１８ｃ及び軸部材１２の下側端面１２ｂとハウジング１７の内底面１７ｅ１との間の隙間部、軸受スリーブ１８の軸方向溝１８ｄ１、軸受スリーブ１８の上側端面１８ｂとディスクハブ１３の下側端面１３ａとの間の隙間部、スラスト軸受部Ｔ１１、及びシール空間Ｓ'に充満される。
【０１０８】
軸部材１２及びディスクハブ１３の回転時、軸受スリーブ１８の内周面１８ａのラジアル軸受面となる領域（上下２箇所の領域）は、それぞれ、軸部材１２の外周面１２ａとラジアル軸受隙間を介して対向する。また、ハウジング１７の上側端面１７ｆのスラスト軸受面となる領域は、ディスクハブ１３の下側端面１３ａとスラスト軸受隙間を介して対向する。そして、軸部材１２及びディスクハブ１３の回転に伴い、上記ラジアル軸受隙間に潤滑油の動圧が発生し、軸部材１２が上記ラジアル軸受隙間内に形成される潤滑油の油膜によってラジアル方向に回転自在に非接触支持される。これにより、軸部材１２及びディスクハブ１３をラジアル方向に回転自在に非接触支持する第１ラジアル軸受部Ｒ１１と第２ラジアル軸受部Ｒ１２とが構成される。同時に、上記スラスト軸受隙間に潤滑油の動圧が発生し、ディスクハブ１３が上記スラスト軸受隙間内に形成される潤滑油の油膜によってスラスト方向に回転自在に非接触支持される。これにより、軸部材１２及びディスクハブ１３をスラスト方向に回転自在に非接触支持するスラスト軸受部Ｔ１１が構成される。
【０１０９】
また、第１ラジアル軸受部Ｒ１１の動圧溝による潤滑油の引き込み力（ポンピング力）と、第２ラジアル軸受部Ｒ１２の動圧溝による潤滑油の引き込み力との差圧によって、軸受スリーブ１８の内周面１８ａと軸部材１２の外周面１２ａとの間の隙間に満たされた潤滑油が下方に流動し、軸受スリーブ１８の下側端面１８ｃとハウジング１７の内底面１７ｅ１との間の隙間→軸方向溝１８ｄ１→ディスクハブ１３の下側端面１３ａと軸受スリーブ１８の上側端面１８ｂとの間の隙間という経路を循環して、第１ラジアル軸受部Ｒ１１のラジアル軸受隙間に再び引き込まれる。このように、潤滑油が上記隙間部を流動循環するように構成することで、ハウジング１７の内部空間及びスラスト軸受部Ｔ１１のスラスト軸受隙間内の潤滑油圧力が局部的に負圧になる現象を防止して、負圧発生に伴う気泡の生成、気泡の生成に起因する潤滑油の漏れや振動の発生等の問題を解消することができる。また、潤滑油の外部への漏れは、シール空間Ｓ'の毛細管力と、スラスト軸受部Ｔ１１の動圧溝１７ｆ１による潤滑油の引き込み力（ポンピング力）によって、より効果的に防止される。
【０１１０】
以下、本発明の一実施形態について説明する。
【０１１１】
図１１は、この実施形態に係る流体軸受装置（流体動圧軸受装置）１を組み込んだ情報機器用スピンドルモータの一構成例を概念的に示している。このスピンドルモータは、ＨＤＤ等のディスク駆動装置に用いられるもので、軸部材２を回転自在に非接触支持する流体軸受装置１と、軸部材２に装着されたロータ（ディスクハブ）３と、例えば半径方向のギャップを介して対向させたステータ４およびロータマグネット５とを備えている。ステータ４はブラケット６の外周に取付けられ、ロータマグネット５はディスクハブ３の内周に取付けられる。流体軸受装置１のハウジング７は、ブラケット６の内周に装着される。ディスクハブ３には、磁気ディスク等のディスクＤが一又は複数枚保持される。ステータ４に通電すると、ステータ４とロータマグネット５との間の電磁力でロータマグネット５が回転し、それによって、ディスクハブ３および軸部材２が一体となって回転する。
【０１１２】
図１２は、流体軸受装置１を示している。この流体軸受装置１は、ハウジング７と、ハウジング７に固定された軸受スリーブ８およびスラスト部材１０と、軸部材２とを構成部品して構成される。
【０１１３】
軸受スリーブ８の内周面８ａと軸部材２の軸部２ａの外周面２ａ１との間に第１ラジアル軸受部Ｒ１と第２ラジアル軸受部Ｒ２とが軸方向に離隔して設けられる。また、軸受スリーブ８の下側端面８ｃと軸部材２のフランジ部２ｂの上側端面２ｂ１との間に第１スラスト軸受部Ｔ１が設けられ、スラスト部材１０の端面１０ａとフランジ部２ｂの下側端面２ｂ２との間に第２スラスト軸受部Ｔ２が設けられる。尚、説明の便宜上、スラスト部材１０の側を下側、スラスト部材１０と反対の側を上側として説明を進める。
【０１１４】
ハウジング７は、例えば、結晶性樹脂としての液晶ポリマー（ＬＣＰ）に、導電性充填材としてのカーボンナノチューブ又は導電カーボンを２〜３０ｖｏｌ％配合した樹脂材料を射出成形して形成され、円筒状の側部７ｂと、側部７ｂの上端部から内径側に一体に連続して延びた環状のシール部７ａとを備えている。シール部７ａの内周面７ａ１は、軸部２ａの外周面２ａ１、例えば、外周面２ａ１に形成されたテーパ面２ａ２との間に所定のシール空間Ｓを形成する。尚、軸部２ａのテーパ面２ａ２は上側（ハウジング７に対して外部側）に向かって漸次縮径し、軸部材２の回転により遠心力シールとしても機能する。
【０１１５】
軸部材２は、例えば、ステンレス鋼等の金属材料で形成され、軸部２ａと、軸部２ａの下端に一体又は別体に設けられたフランジ部２ｂとを備えている。
【０１１６】
軸受スリーブ８は、例えば、焼結金属からなる多孔質体、特に銅を主成分とする焼結金属の多孔質体で円筒状に形成され、ハウジング７の内周面７ｃの所定位置に固定される。
【０１１７】
この焼結金属で形成された軸受スリーブ８の内周面８ａには、第１ラジアル軸受部Ｒ１と第２ラジアル軸受部Ｒ２のラジアル軸受面となる上下２つの領域が軸方向に離隔して設けられ、該２つの領域には、例えばヘリングボーン形状の動圧溝がそれぞれ形成される。
【０１１８】
第１スラスト軸受部Ｔ１のスラスト軸受面となる、軸受スリーブ８の下側端面８ｃには、例えばスパイラル形状やヘリングボーン形状の動圧溝が形成される。
【０１１９】
スラスト部材１０は、例えば、樹脂材料又は黄銅等の金属材料で形成され、ハウジング７の内周面７ｃの下端部に固定される。この実施形態において、スラスト部材１０は、その端面１０ａの外周縁部から上方に延びた環状の当接部１０ｂを一体に備えている。当接部１０ｂの上側端面は軸受スリーブ８の下側端面８ｃと当接し、当接部１０ｂの内周面はフランジ部２ｂの外周面と隙間を介して対向する。第２スラスト軸受部Ｔ２のスラスト軸受面となる、スラスト部材１０の端面１０ａには、例えばヘリングボーン形状やスパイラル形状の動圧溝が形成される。スラスト部材１０の当接部１０ｂとフランジ部２ｂの軸方向寸法を管理することにより、第１スラスト軸受部Ｔ１と第２スラスト軸受部Ｔ２のスラスト軸受隙間を精度良く設定することができる。
【０１２０】
シール部７ａで密封されたハウジング７の内部空間には、軸受スリーブ８の内部気孔を含めて、潤滑油が充填される。潤滑油の油面は、シール空間Ｓの範囲内に維持される。また、シール部７ａの内周面７ａ１に隣接する外側面７ａ２には溌油剤Ｆが塗布される。さらに、シール部７ａを貫通してハウジング７の外部に突出した軸部材２の外周面２ａ３にも溌油剤Ｆが塗布される。
【０１２１】
軸部材２の回転時、軸受スリーブ８の内周面８ａのラジアル軸受面となる領域（上下２箇所の領域）は、それぞれ、軸部２ａの外周面２ａ１とラジアル軸受隙間を介して対向する。また、軸受スリーブ８の下側端面８ｃのスラスト軸受面となる領域はフランジ部２ｂの上側端面２ｂ１とスラスト軸受隙間を介して対向し、スラスト部材１０の端面１０ａのスラスト軸受面となる領域はフランジ部２ｂの下側端面２ｂ２とスラスト軸受隙間を介して対向する。そして、軸部材２の回転に伴い、上記ラジアル軸受隙間に潤滑油の動圧が発生し、軸部材２の軸部２ａが上記ラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２のフランジ部２ｂが上記スラスト軸受隙間内に形成される潤滑油の油膜によって両スラスト方向に回転自在に非接触支持される。これにより、軸部材２をスラスト方向に回転自在に非接触支持する第１スラスト軸受部Ｔ１と第２スラスト軸受部Ｔ２とが構成される。
【０１２２】
図１３（ａ）は、上記のような流体軸受装置１におけるハウジング７の成形工程を概念的に示している。固定型と可動型とで構成される成形金型に、ランナー１７ｂ、フィルムゲート１７ａ、キャビティー１７が設けられる。フィルムゲート１７ａは、シール部７ａの外側面７ａ２の外周縁部に対応する位置に環状に形成され、そのゲート幅δは例えば０．３ｍｍである。
【０１２３】
図示されていない射出成形機のノズルから射出された溶融樹脂Ｐは、成形金型のランナー１７ｂ、フィルムゲート１７ａを通ってキャビティー１７内に充填される。このように、シール部７ａの外側面７ａ２の外周緑部に対応する位置に設けた環状のフィルムゲート１７ａからキャビティー１７内に溶融樹脂Ｐを充填することにより、溶融樹脂Ｐがキャビティー１７の円周方向及び軸方向に均一に充填され、寸法形状精度の高いハウジング７を得ることができる。
【０１２４】
キャビティー１７内に充填された溶融樹脂Ｐが冷却されて固化した後、可動型を移動させて成形金型を型開きする。フィルムゲート１７ａをシール部７ａの外側面７ａ２の外周縁部に対応する位置に設けているため、型開き前の成形品は、シール部７ａの外側面７ａ２の外周縁部にフィルム状の（薄い）樹脂ゲート部が環状に繋がった形態になるが、この樹脂ゲート部は成形金型の型開動作によって自動的に切断され、成形品を成形金型から取り出した状態では、図１３（ｂ）に示すように、シール部７ａの外側面７ａ２の外周縁部に樹脂ゲート部７ｄの切断部が残った状態になる。その後、樹脂ゲート部７ｄを同図に示すＺ線に沿って除去加工（機械加工）して仕上げると、ハウジング７が完成される。
【０１２５】
完成後のハウジング７において、樹脂ゲート部７ｄを除去加工することにより形成されたゲート除去部７ｄ１は、シール部７ａの外側面７ａ２の外周縁部に幅の狭い環状形状で現れる。したがって、シール部７ａの外側面７ａ２は、ゲート除去部７ｄ１が存在する外周縁部を除いて、成形面であり、このような表面状態の外側面７ａ２に溌油剤Ｆを塗布することにより、充分な溌油効果が発揮され、ハウジング７の内部からの潤滑油の漏れが効果的に防止される。
【０１２６】
尚、本発明は、スラスト軸受部として、いわゆるピボット軸受を採用した流体軸受装置や、ラジアル軸受部として、いわゆる真円軸受を採用した流体軸受装置にも同様に適用することができる。
【符号の説明】
【０１２７】
１    動圧軸受装置
７    ハウジング
７ｂ  側部
７ｅ  底部
８    軸受スリーブ
９    シール部材
【図１】
2010210091.tif 000003
【図２】
2010210091.tif 000004
【図３】
2010210091.tif 000005
【図４】
2010210091.tif 000006
【図５】
2010210091.tif 000007
【図６】
2010210091.tif 000008
【図７】
2010210091.tif 000009
【図８】
2010210091.tif 000010
【図９】
2010210091.tif 000011
【図１０】
2010210091.tif 000012
【図１１】
2010210091.tif 000013
【図１２】
2010210091.tif 000014
【図１３】
2010210091.tif 000015
【図１４】
2010210091.tif 000016